(57)【要約】      （修正有）【課題】初期開栓のトルクを低減することが容易な封止装置を提供すること。【解決手段】封止装置１００は、本体１０とキャップ２０とを備え、本体１０とキャップ２０との間に設けられた正ネジタイプの第１締結部５０ａによって、キャップ２０の着脱を可能にするとともに、第１締結部５０ａよりも内側において本体１０とキャップ２０との間に設けられた逆ネジタイプの第２締結部５０ｂによって、開封に際して本体１０から中栓１２を分離してキャップ２０に捕捉させる装置であって、第１締結部５０ａを構成するキャップ外ネジ５３と本体外ネジ５１との少なくとも一方は、中栓１２をキャップ２０側に押し込む乗り越えを、中栓１２をキャップ２０側から引き抜く乗り越えよりも容易にする偏ったネジ山形状を有する。【選択図】図１
2019059531.tif 000002
【特許請求の範囲】
【請求項１】
本体とキャップとを備え、前記本体と前記キャップとの間に設けられた正ネジタイプの第１締結部によって、前記キャップの着脱を可能にするとともに、前記第１締結部よりも内側において前記本体と前記キャップとの間に設けられた逆ネジタイプの第２締結部によって、開封に際して前記本体から中栓を分離して前記キャップに捕捉させる封止装置であって、前記第１締結部を構成するキャップ外ネジと本体外ネジとの少なくとも一方は、前記本体を前記キャップ側に押し込む乗り越えを、前記本体を前記キャップ側から引き抜く乗り越えよりも容易にする偏ったネジ山形状を有する、封止装置。
【請求項２】
前記第２締結部を構成するキャップ内ネジと中栓内ネジとは、前記中栓を前記キャップ側の支持部から引き抜く乗り越えに対する抵抗と前記中栓を前記支持部に押し込む乗り越えに対する抵抗とを均衡させたネジ山形状を有する、請求項１に記載の封止装置。
【請求項３】
前記第２締結部を構成するキャップ内ネジと中栓内ネジとの少なくとも一方は、前記中栓を前記キャップ側の支持部に押し込む乗り越えを前記中栓を前記支持部から引き抜く乗り越えよりも容易にする偏ったネジ山形状を有する、請求項１に記載の封止装置。
【請求項４】
前記偏ったネジ形状は、引き抜く方向に対応する反螺進方向に偏った断面を有する、請求項１及び２のいずれか一項に記載の封止装置。
【請求項５】
前記キャップ外ネジと前記本体外ネジとは、ネジ山の基部が頂部よりも幅広で、押し込む乗り越えに際して当接する第１面が引き抜く際に当接する第２面よりも大きく傾斜する、請求項１〜４のいずれか一項に記載の封止装置。
【請求項６】
前記キャップ内ネジと前記中栓内ネジとは、ネジ山の基部が頂部よりも幅広で、押し込む乗り越えに際して当接する第１面が引き抜く際に当接する第２面よりも大きく傾斜する、請求項３に記載の封止装置。
【請求項７】
前記本体と前記キャップとを組み合わせた状態で、前記第２締結部は、最も奥までねじ込まれた状態となっている、請求項１〜６のいずれか一項に記載の封止装置。
【請求項８】
前記第２締結部を構成するキャップ内ネジ及び中栓内ネジのうち前記キャップ内ネジは、前記キャップの天板から下に延びるキャップ円筒部の外側面に形成され、前記中栓内ネジは、前記中栓の封止体の外縁から上に延びる中栓円筒部の内側面に形成されている、請求項１〜７のいずれか一項に記載の封止装置。
【発明の詳細な説明】
【技術分野】
【０００１】
本発明は、容器の口部に装着される封止装置に関し、特に外ネジと内ネジとを有する封止装置に関する。
【背景技術】
【０００２】
容器の口部に用いられる公知の封止装置として、本体と上蓋とを備え、本体において、ボトルの口部に嵌着される筒状部と、その内側にスコアーを介して連設されている分離部又は中栓とを設けたものが存在する（特許文献１参照）。
【０００３】
この封止装置では、予め本体の分離部を上蓋に対して逆ネジで取り付けてあり、分離部等の取り付けを容易にしつつ取り外しを困難にするため、ネジ山の断面をかえり形状又はバーブ状としている。これにより、開封時にボトルの口部に対して順ネジで取り付けられた上蓋を外すようにねじ戻すことによって本体の分離部と上蓋とに移動差を生じさせ、或いは分離部を本体の外周側に対して強制的に回転させることができ、それによって本体の筒状部から分離部を分離するとともに、その分離部を上蓋に保持させることとしている。このキャップ構造によれば、上蓋を緩めるように回転させるだけで簡単に開封を行うことができ、開封によって分離された分離部を上蓋の上端内筒に保持させるので、分離後の分離部を開封後においてシールとして機能させることができ、分離部がいわゆるゴミとなることがない。
【０００４】
しかしながら、上記封止装置では、組み立て時に外側のネジを締め付けて本体と上蓋とを固定するので、外側のネジの締め付けが強くなって初期開栓のトルクを低減する調整が容易でない。
【先行技術文献】
【特許文献】
【０００５】
【特許文献１】国際公開第２０１４／１１５８５７号公報
【発明の概要】
【０００６】
本発明は、上記背景技術に鑑みてなされたものであり、初期開栓のトルクを低減することが容易な封止装置を提供することを目的とする。
【０００７】
上記課題を解決するため、本発明に係る封止装置は、本体とキャップとを備え、本体とキャップとの間に設けられた正ネジタイプの第１締結部によって、キャップの着脱を可能にするとともに、第１締結部よりも内側において本体とキャップとの間に設けられた逆ネジタイプの第２締結部によって、開封に際して本体から中栓を分離してキャップに捕捉させる封止装置であって、第１締結部を構成するキャップ外ネジと本体外ネジとの少なくとも一方は、本体をキャップ側に押し込む乗り越えを、本体をキャップ側から引き抜く乗り越えよりも容易にする偏ったネジ山形状を有する。
【０００８】
上記封止装置によれば、第１締結部を構成するネジの少なくとも一方が、本体をキャップ側に押し込む乗り越えを、本体をキャップ側から引き抜く乗り越えよりも容易にする偏ったネジ山形状を有するので、キャップに本体を組付ける工程では、第２締結部を所定の位置まで締め込んだ状態にするとともに、第１締結部においてネジ山の強制的な乗り越えを生じさせることができる。この際、ネジ山の乗り越えによって第１締結部の締結状態を実現するので、第１締結部が過度に締め付けられることを防止でき、初期開栓のトルク低減を簡易かつ確実に達成することができる。
【０００９】
本発明の具体的な態様又は側面では、上記封止装置において、第２締結部を構成するキャップ内ネジと中栓内ネジとは、中栓をキャップ側の支持部から引き抜く乗り越えに対する抵抗と中栓を支持部に押し込む乗り越えに対する抵抗とを均衡させたネジ山形状を有する。この場合、例えば第２締結部を本体を締め込むように回転させることで、第１締結部においてネジ山の強制的な乗り越えを生じさせることができる。
【００１０】
本発明の別の側面では、第２締結部を構成するキャップ内ネジと中栓内ネジとの少なくとも一方は、中栓をキャップ側の支持部に押し込む乗り越えを中栓を支持部から引き抜く乗り越えよりも容易にする偏ったネジ山形状を有する。この場合、本体にキャップを打栓するような操作によって、第１締結部と第２締結部との双方でネジ山の強制的な乗り越えを生じさせることができる。
【００１１】
本発明のさらに別の側面では、偏ったネジ形状は、引き抜く方向に対応する反螺進方向に偏った断面を有する。
【００１２】
本発明のさらに別の側面では、キャップ外ネジと本体外ネジとは、ネジ山の基部が頂部よりも幅広で、押し込む乗り越えに際して当接する第１面が引き抜く際に当接する第２面よりも大きく傾斜する。この場合、第１締結部において、第１面が乗り越えを相対的に容易にし、第２面が乗り越えを相対的に抑制する。
【００１３】
本発明のさらに別の側面では、キャップ内ネジと中栓内ネジとは、ネジ山の基部が頂部よりも幅広で、押し込む乗り越えに際して当接する第１面が引き抜く際に当接する第２面よりも大きく傾斜する。この場合、第２締結部において、第１面が乗り越えを相対的に容易にし、第２面が乗り越えを相対的に抑制する。
【００１４】
本発明のさらに別の側面では、本体とキャップとを組み合わせた状態で、第２締結部は、最も奥までねじ込まれた状態となっている。この場合、第１締結部を緩めるようにねじ戻すことで、第２締結部がロックされてキャップとともに中栓が回転するので、中栓を本体から確実に分離することができる。
【００１５】
本発明のさらに別の側面では、第２締結部を構成するキャップ内ネジ及び中栓内ネジのうちキャップ内ネジは、キャップの天板から下に延びるキャップ円筒部の外側面に形成され、中栓内ネジは、中栓の封止体の外縁から上に延びる中栓円筒部の内側面に形成されている。
【図面の簡単な説明】
【００１６】
【図１】本発明に係る第１実施形態の封止装置を説明するための断面図である。
【図２】（Ａ）は、第１締結部のネジ山を説明する拡大断面図であり、（Ｂ）は、第２締結部のネジ山を説明する拡大断面図である。
【図３】図１に示す封止装置の組立方法及び使用方法を説明する断面図である。
【図４】（Ａ）及び（Ｂ）は、図１に示す封止装置の組立方法及び使用方法を説明する断面図である。
【図５】本発明に係る第２実施形態の封止装置を説明するための断面図である。
【図６】（Ａ）は、第１締結部のネジ山を説明する拡大断面図であり、（Ｂ）は、第２締結部のネジ山を説明する拡大断面図である。
【発明を実施するための形態】
【００１７】
〔第１実施形態〕
図１を参照して、本発明に係る第１実施形態の封止装置について説明する。図示の封止装置１００は、紙パック、パウチ容器等である容器２の開口部２ａに取り付けられる本体１０と、本体１０を覆うようにして本体１０に装着されるキャップ２０とによって構成されている。
【００１８】
本体１０は、樹脂製の一体成形品であり、容器２の開口部２ａの周縁部２ｂに沿って固定された外周部１１と、開封時に外周部１１から分離される中栓１２とを備える。以下、開封とは、中栓１２が外周部１１から分離されることを意味し、開封後のキャップ２０の開け閉めについては開栓又は閉栓と呼ぶことにする。
【００１９】
本体１０の外周部１１は、中栓１２の分離後に容器２の内容物のための注出口を形成する部分であり、本体１０の軸心であるネジ軸ＡＸに沿って容器２の外側又は上側に延びる円筒状の部材である本体外周壁３１を有している。さらに、外周部１１は、本体外周壁３１の下端において半径方向外方に張り出す肉厚の本体台座３２と、本体台座３２の周面から半径方向外方に張り出す肉薄の溶着部３３とを有している。溶着部３３の上面は、容器２の周縁部２ｂの下面に対して超音波融着によって固定されている。本体台座３２の周面には、周方向２〜８箇所に等間隔に係止部３４が半径方向外方に張り出して形成されている。また、本体１０の本体外周壁３１には、外周面に、キャップ２０に螺着するための本体外ネジ５１が形成されている。なお、ネジ軸ＡＸとは、本体１０及びキャップ２０の中心を通る軸又はキャップ２０の回転軸を意味する。
【００２０】
本体１０の中栓１２は、底部に配置された円板状の封止体４１と、この封止体４１の外縁から上方に延びる円筒状の中栓円筒部４２とを備えている。この封止体４１の外縁と中栓円筒部４２の下端部とが連結されている外周側境界部１７は、環状の薄肉部１５によって本体１０の外周部１１に連結されている。薄肉部１５の下面には、環状でＶ溝状のスコアー１６が形成されている。薄肉部１５は、本体１０から中栓１２を分離する開封時に切断される。中栓円筒部４２は、外側の本体外周壁３１の内側に同芯で離間して配置されている。中栓円筒部４２の内周面（内側面）には、本体外ネジ５１に対して螺旋方向が異なり逆ネジの関係にある中栓内ネジ５２が形成されている。
【００２１】
キャップ２０は、樹脂製の一体成形品であり、外側の部分として、円板状のキャップ天板２１と、円筒状のキャップ外周壁２２とを備える。キャップ外周壁２２の周囲には、ローレットが形成されている。キャップ２０は、キャップ外周壁２２と同芯で内側に、最も内側に配置された内側支持部であるキャップ円筒部２３と、キャップ円筒部２３の外側に配置された外側サポート部２４とを備える。また、キャップ外周壁２２と外側サポート部２４との間には、同様に同芯で円筒状であるがネジ軸ＡＸ方向に比較的短いインナーリング２５が設けられている。このインナーリング２５によって開封後の容器２の開口部２ａのシールが図られる。キャップ円筒部２３と、外側サポート部２４と、インナーリング２５とは、キャップ天板２１によって連設されている。そして、キャップ外周壁２２の内周側面には、本体１０の本体外周壁３１の外周側面に形成された本体外ネジ５１に螺合するキャップ外ネジ５３が形成され、キャップ円筒部２３の外周面（外側面）には、本体１０に設けた中栓１２の中栓円筒部４２の内周側面に形成された中栓内ネジ５２に螺合するキャップ内ネジ５４が形成されている。
【００２２】
以上において、本体１０の本体外周壁３１の本体外ネジ５１と、キャップ２０のキャップ外周壁２２のキャップ外ネジ５３とは、キャップ２０の本体１０に対する着脱を可能にする第１締結部５０ａを構成している。また、本体１０の中栓円筒部４２の中栓内ネジ５２と、キャップ２０のキャップ円筒部２３のキャップ内ネジ５４とは、本体１０のうち中栓１２をキャップ２０のキャップ円筒部２３に締め付けて固定するための第２締結部５０ｂを構成している。つまり、キャップ２０のキャップ円筒部２３は、第２締結部５０ｂによって中栓１２を捕捉して当該中栓１２を本体１０又は外周部１１から分離するための支持部として機能している。第１締結部５０ａと第２締結部５０ｂとは、互いに逆ネジ又は逆の螺旋関係にある。具体的には、第１締結部５０ａは、反時計方向の回転で緩む正ネジタイプの螺合部であり、第２締結部５０ｂは、反時計方向の回転で締まる逆ネジタイプの螺合部である。すなわち、キャップ２０のキャップ外周壁２２を上側から見て反時計方向に回転させることで第１締結部５０ａが緩むようにねじ戻されてキャップ２０が上昇する場合、キャップ２０のキャップ円筒部２３を上側から見て反時計方向に回転させることになって第２締結部５０ｂが締め込まれて中栓円筒部４２がさらに上昇する。
【００２３】
ここで、第２締結部５０ｂのねじ込み方向又は螺進方向等について詳細に説明する。本体１０の中栓円筒部４２にとっては、ネジ軸ＡＸに沿った上側が、キャップ２０のキャップ円筒部２３に対して下側から見て反時計方向の回転によってねじ込みを行う螺進方向になっており、ネジ軸ＡＸに沿った下側がキャップ円筒部２３に対してねじ戻しを行う反螺進方向になっている。また、キャップ円筒部２３にとっては、ネジ軸ＡＸに沿った下側が中栓円筒部４２に対して上側から見て反時計方向の回転によってねじ込みを行う螺進方向になっており、ネジ軸ＡＸに沿った上側が中栓円筒部４２に対してねじ戻しを行う反螺進方向になっている。以上のように、第２締結部５０ｂを構成する部材の反時計回転に伴うねじ込み方向又は螺進方向は、ネジ軸ＡＸに沿った進退の移動成分の方向を示しており、通常の場合、つまり第１締結部５０ａを構成する部材の時計回転に伴うねじ込み方向又は螺進方向と結果的に同じであるが、１つの締結部材を構成する要素間では逆向きになっている。
【００２４】
第１締結部５０ａ、すなわち本体１０の本体外周壁３１に形成される本体外ネジ５１と、それに噛合するキャップ２０のキャップ外周壁２２に形成されるキャップ外ネジ５３とは、本体１０の本体外周壁３１をキャップ２０のキャップ外周壁２２に押し込む乗り越えを本体外周壁３１をキャップ外周壁２２から引き抜く乗り越えよりも容易にする偏ったネジ山形状を有する。このような、押し込みを容易にする偏ったネジ山形状をかえり形状とも呼ぶ。
【００２５】
一方、第２締結部５０ｂ、すなわち本体１０の中栓１２に形成される中栓内ネジ５２と、それに噛合するキャップ２０のキャップ円筒部２３に形成されるキャップ内ネジ５４とは、本体１０の中栓１２を支持部としてのキャップ円筒部２３から引き抜く乗り越えに対する抵抗と、中栓１２を支持部としてのキャップ円筒部２３に押し込む乗り越えに対する抵抗とを均衡させたネジ山形状を有する。
【００２６】
図２（Ａ）を参照して、第１締結部５０ａにおける押し込みを容易にする偏ったネジ山形状について具体的に説明する。
【００２７】
第１締結部５０ａを構成する雄ネジである本体外ネジ５１は、ネジ軸ＡＸが通る図示のような断面において、その先端に向けて本体１０のネジ軸ＡＸに沿った移動成分としてのねじ戻し方向又は反螺進方向（下側）に偏った断面形状を有するねじ山となっている。見方を変えれば、本体外ネジ５１は、引き抜く際に当接する第２面、すなわちキャップ２０を上方に変位させる際のキャップ外ネジ５３との反螺進側の係合面であるネジ山下面５１ｂが水平に近い角度（角度θ１１）に形成され、基部の厚み（Ｈ１ａ）が頂部の厚み（Ｈ１ｂ）よりも幅広に設定されている。つまり、本体外ネジ５１は、押し込む乗り越えに際して当接する第１面又は螺進側の係合面であるネジ山上面５１ｔが、引き抜く際に当接する第２面又は反螺進側の係合面であるネジ山下面５１ｂよりも、大きく傾斜（角度θ１１＜φ１１）するものとなっている。
【００２８】
同様に、第１締結部５０ａを構成する雌ネジであるキャップ外ネジ５３は、ネジ軸ＡＸが通る図示のような断面において、その先端に向けてキャップ２０のネジ軸ＡＸに沿った移動成分としてのねじ戻し方向又は反螺進方向（上側）に偏った断面形状を有するねじ山となっている。見方を変えれば、キャップ外ネジ５３は、引き抜く際に当接する第２面、すなわちキャップ２０を上方に変位させる際の本体外ネジ５１との反螺進側の係合面であるネジ山上面５３ｔが水平に近い角度（角度θ１２）に形成され、基部の厚み（Ｈ２ａ）が頂部の厚み（Ｈ２ｂ）よりも幅広に設定されている。つまり、キャップ外ネジ５３は、押し込む乗り越えに際して当接する第１面又は螺進側の係合面であるネジ山下面５３ｂが、引き抜く際に当接する第２面又は反螺進側の係合面であるネジ山上面５３ｔよりも、大きく傾斜（角度θ１２＜φ１２）するものとなっている。
【００２９】
図２（Ｂ）を参照して、第２締結部５０ｂにおける引き抜く乗り越えに対する抵抗と押し込む乗り越えに対する抵抗とを均衡させたネジ山形状について具体的に説明する。
【００３０】
第２締結部５０ｂを構成する雌ネジである中栓内ネジ５２は、ネジ軸ＡＸが通る図示のような断面において、ネジ軸ＡＸに沿った中栓１２のねじ込み方向又は螺進方向（上側）と、中栓１２のねじ戻し方向又は反螺進方向（下側）とに関して、バランスをとった断面形状を有するねじ山となっている。より詳細には、中栓内ネジ５２は、基部の厚み（Ｈ３ａ）が頂部の厚み（Ｈ３ｂ）よりも幅広に設定され、螺進側の係合面であるネジ山上面５２ｔが、反螺進側の係合面であるネジ山下面５２ｂと同様に傾斜（角度φ２１≒θ２１）するものとなっている。
【００３１】
同様に、第２締結部５０ｂを構成する雄ネジであるキャップ内ネジ５４は、ネジ軸ＡＸが通る図示のような断面において、ネジ軸ＡＸに沿ったキャップ２０のねじ込み方向又は螺進方向（下側）と、キャップ２０のねじ戻し方向又は反螺進方向（上側）とに関して、バランスをとった断面形状を有するねじ山となっている。より詳細には、キャップ内ネジ５４は、基部の厚み（Ｈ４ａ）が頂部の厚み（Ｈ４ｂ）よりも幅広に設定され、螺進側の係合面であるネジ山下面５４ｂが、反螺進側の係合面であるネジ山上面５４ｔと同様に傾斜（角度φ２２≒θ２２）するものとなっている。
【００３２】
以下、図３等を参照して、封止装置１００の組み立て方法の一例について説明する。まず、本体１０とキャップ２０とを準備する。次に、キャップ２０に本体１０を収納するようにキャップ２０のキャップ内ネジ５４に本体１０の中栓内ネジ５２を係合させ、本体１０を本体１０側から見て反時計方向に回転させ或いはキャップ２０をキャップ２０側から見て反時計方向に回転させる。これによって、第２締結部５０ｂは、ねじ込むように締め付けられ、中栓内ネジ５２とキャップ内ネジ５４とが螺合される。その際、第１締結部５０ａを構成する本体外ネジ５１とキャップ外ネジ５３とは、本来時計方向の回転でねじ込まれるように形成されているが、両外ネジ５１，５３は上述のように押し込みに際して変形し易い偏ったねじ山形状又はかえり形状に形成されているので、互いに変形しながら両内ネジ５１，５３のネジ山を乗り越えて互いに噛合される。この際、外側サポート部２４の先端部２４ｄは、薄肉部１５の外側の上面に当接又は近接する（図４（Ａ）参照）。
【００３３】
このようにして本体１０とキャップ２０とが最も奥までねじ込まれて互いに係合した状態では、本体１０とキャップ２０との間隔が調整され、外側サポート部２４とキャップ円筒部２３との基部に形成される凹部Ｅに、中栓円筒部４２の先端部４２ｄが収容される。また、本体外周壁３１の先端に形成されたリップ部３１ｂがキャップ２０のキャップ天板２１の下面２１ｔに当接した状態に位置される。本体１０とキャップ２０とを正規の位置に巻き締めた状態において、中栓円筒部４２の先端部４２ｄとキャップ２０のキャップ天板２１との間には隙間Ｇが形成されている。隙間Ｇを有することにより、後述する開封動作において、第２締結部５０ｂの中栓内ネジ５２とキャップ内ネジ５４とが螺合し、中栓１２を引き上げる力が働き、薄肉部１５が破断するまでの間に、中栓１２がキャップ２０のキャップ天板２１方向に移動する。つまり、薄肉部１５の一対の破断面が上下方向にずれることになる。これにより、中栓１２を分離した後のキャップ２０を再度閉めても当該破断面が触れ合うことがない。そのため、破断面同士が擦れることによる破断面付近の薄肉のバリの剥がれを防ぐことができる。また、中栓１２自体が緩んでキャップ２０から外れることを防ぐことができる。
【００３４】
上述のようにして組立てられた封止装置１００（本体１０及びキャップ２０）は、紙パック等の容器２の開口部２ａに裏側から挿入され、その開口部２ａの内周面に本体１０の本体台座３２の外周面が嵌合され、超音波接着や接着剤による接着等によって容器２に接合される。
【００３５】
以下、上記実施形態の封止装置１００の開封動作について、図４（Ａ）等を参照しながら説明する。
【００３６】
まず、図４（Ａ）に示すように、キャップ２０が締結部５０ａ，５０ｂの回転動作前の基準位置又は初期位置（奥までねじ込んだ状態）にあり、中栓１２と本体外周壁３１とが結合状態にあって、容器２の開口部２ａ又は本体１０の開口部１１ａが封止された状態にある。
【００３７】
図４（Ａ）の状態からキャップ２０を緩める方向、即ち反時計回りに回転させると、キャップ２０は所定の回転角度分空回りし、その間に中栓内ネジ５２のネジ山下面５２ｂとキャップ内ネジ５４のネジ山上面５４ｔとが当接する。更にキャップ２０を反時計回りに回転させると、キャップ外ネジ５３が本体外ネジ５１に当接する。この時、中栓１２は、キャップ２０と逆ネジによって螺合されているので、第２締結部５０ｂの締め付けが開始され、中栓１２が上方に移動させられ、それに伴い薄肉部１５が上方に伸ばされる。つまり、第２締結部５０ｂの締め付けが若干進行し、中栓１２は、外周部１１に対して上から見て反時計回りに回転しながら上方に移動させられる。更にキャップ２０を反時計回りに回転させると、キャップ外ネジ５３と本体外ネジ５１の螺合によりキャップ２０は回転しつつ上方に移動し、その間に本体１０の薄肉部１５が更にせん断力を受けて破断され、中栓１２は本体外周壁３１から離脱され、開封される（図４（Ｂ）参照）。
【００３８】
この状態においては、キャップ内ネジ５４のネジ山上面５４ｔが中栓円筒部４２の中栓内ネジ５２のネジ山下面５２ｂに当接するとともに、中栓円筒部４２の先端部４２ｄが凹部Ｅにおいてキャップ天板２１の下面２１ｔに近接又は当接し、それによって螺合による係止状態が維持され、中栓１２は、キャップ２０に保持される。さらに、薄肉部１５の中栓１２側の破断部１５ｂは、バリ収納部２４ｒに全体的に収納されて凹所にあり、外周部１１側の破断部１５ａと触れ合うことが回避される。
【００３９】
さらに、キャップ２０を緩める方向に回転させると、キャップ２０は本体外周壁３１から離れ、それによって容器２内の内容物を注ぐことができるようになる。その際、中栓１２は、キャップ２０に確保されキャップ２０に対してある程度締め付けられた状態となっているので、離脱するおそれはない。つまり、一旦開封が行われた後は、本体１０側に固定されていた中栓１２がキャップ２０側に固定されることになる。
【００４０】
開封後について説明すると、キャップ２０のキャップ外ネジ５３を本体１０の本体外ネジ５１に螺合させ、キャップ２０を時計方向に回転させると、本体外周壁３１の上端に形成されているリップ部３１ｂがキャップ２０のキャップ天板２１の下面２１ｔに当接し、かつ、外側サポート部２４の先端部２４ｄが薄肉部１５の外側面に密着する。中栓１２はキャップ２０のキャップ天板２１の方向に引き上げられた状態となっているとともに、中栓１２側の破断部１５ｂがバリ収納部２４ｒに全体的に収納されているため、中栓１２側の破断部１５ｂと外周部１１側の破断部１５ａとが触れることはない。
【００４１】
本実施形態の封止装置１００では、第１締結部５０ａを構成するネジの少なくとも一方が、本体１０をキャップ２０側に押し込む乗り越えを、本体１０をキャップ２０側から引き抜く乗り越えよりも容易にする偏ったネジ山形状を有するので、キャップ２０に本体１０を組付ける工程では、第２締結部５０ｂを所定の位置まで締め込んだ状態にするとともに、第１締結部５０ａにおいてネジ山の強制的な乗り越えを生じさせることができる。この際、ネジ山の乗り越えによって第１締結部５０ａの締結状態を実現するので、第１締結部５０ａが過度に締め付けられることを防止でき、キャップ外周壁２２の下面と、本体台座３２の上面との摩擦接触を避けることができるので、初期開栓のトルク低減を簡易かつ確実に達成することができる。
【００４２】
〔第２実施形態〕
以下、第２実施形態に係る封止装置について説明する。第２実施形態の封止装置は、第１実施形態の封止装置を変形したものであり、特に説明しない事項については、第１実施形態の封止装置と同様である。
【００４３】
図５に示す封止装置１００では、第１締結部５０ａだけでなく、第２締結部５０ｂも押し込みを容易にする偏ったネジ山形状を有する。すなわち、本体１０の中栓１２に形成される中栓内ネジ５２と、それに噛合するキャップ２０のキャップ円筒部２３に形成されるキャップ内ネジ５４とは、本体１０の中栓１２を支持部としてのキャップ円筒部２３に押し込む乗り越えを中栓１２を支持部としてのキャップ円筒部２３から引き抜く乗り越えよりも容易にする偏ったネジ山形状を有する。なお、第２締結部５０ｂは、逆ネジタイプであり、第１締結部５０ａと第２締結部５０ｂとが逆ネジ又は逆の螺旋関係にある点は、第１実施形態の封止装置１００と同様である。
【００４４】
図６（Ａ）は、第１締結部５０ａの偏ったネジ山形状を説明する図であるが、第１実施形態の図２（Ａ）と同様の形状であるので、説明を省略する。
【００４５】
図６（Ｂ）は、第２締結部５０ｂの偏ったネジ山形状を説明する図である。第２締結部５０ｂを構成する雌ネジである中栓内ネジ５２は、ネジ軸ＡＸが通る図示断面において、その先端に向けて本体１０のネジ軸ＡＸに沿ったねじ戻し方向又は反螺進方向（下側）に偏った断面形状を有するねじ山となっている。見方を変えれば、中栓内ネジ５２は、引き抜く際に当接する第２面、換言すればキャップ２０を上方に変位させる際のキャップ内ネジ５４との反螺進側の係合面であるネジ山下面５２ｂが水平に近い角度（角度θ３１）に形成され、基部の厚み（Ｈ５ａ）が頂部の厚み（Ｈ５ｂ）よりも幅広に設定されている。つまり、中栓内ネジ５２は、押し込む乗り越えに際して当接する第１面又は螺進側の係合面であるネジ山上面５２ｔが、引き抜く際に当接する第２面又は反螺進側の係合面であるネジ山下面５２ｂよりも、大きく傾斜（角度θ３１＜φ３１）するものとなっている。
【００４６】
同様に、第２締結部５０ｂを構成する雄ネジであるキャップ内ネジ５４は、ネジ軸ＡＸが通る図示断面において、その先端に向けてキャップ２０のネジ軸ＡＸに沿ったねじ戻し方向又は反螺進方向（上側）に偏った断面形状を有するねじ山となっている。見方を変えれば、キャップ内ネジ５４は、引き抜く際に当接する第２面、すなわちキャップ２０を上方に変位させる際の中栓内ネジ５２との反螺進側の係合面であるネジ山上面５４ｔが水平に近い角度（角度θ３２）に形成され、基部の厚み（Ｈ６ａ）が頂部の厚み（Ｈ６ｂ）よりも幅広に設定されている。つまり、キャップ内ネジ５４は、押し込む乗り越えに際して当接する第１面又は螺進側の係合面であるネジ山下面５４ｂが、引き抜く際に当接する第２面又は反螺進側の係合面であるネジ山上面５４ｔよりも、大きく傾斜（角度θ３２＜φ３２）するものとなっている。
【００４７】
第２実施形態に係る封止装置１００の組み立てについては、本体１０を本体１０側から見て反時計方向に回転させ、キャップ２０のキャップ外ネジ５３に本体１０の本体外ネジ５１を乗り越えによって強制的に係合させてもよいが、本体１０を裏面側から支持しつつキャップ２０を打栓するように押し込んで本体１０とキャップ２０とを第１締結部５０ａ及び第２締結部５０ｂにおいてネジ山の乗り越えによって強制的に嵌合させてもよい。
【００４８】
以上、本実施形態に係る封止装置について説明したが、本発明に係る封止装置は上記のものには限られない。例えば、上記実施形態において、第１締結部５０ａを構成している本体外ネジ５１及びキャップ外ネジ５３のピッチ、巻き数、ネジ山高さ等の仕様は、適宜用途に応じて変更することができる。また、第２締結部５０ｂを構成しているキャップ内ネジ５４及び中栓内ネジ５２のピッチ、巻き数、ネジ山高さ等の仕様も、適宜用途に応じて変更することができる。
【００４９】
また、上記実施形態において、キャップ２０の外側サポート部２４については、これを省略することもできる。
【００５０】
また、上記実施形態において、本体１０の中栓円筒部４２とキャップ２０のキャップ円筒部２３とは、内外を入れ替えることもできる。この場合も、中栓円筒部４２の雄ネジとキャップ円筒部２３の雌ネジとは、第１締結部５０ａに対して逆ネジ又は逆の螺旋関係の第２締結部５０ｂを構成する。
【００５１】
上記実施形態において、第１締結部５０ａを構成する本体外ネジ５１及びキャップ外ネジ５３の形状は、図１等に例示するものに限らず、押し込みを容易にする偏ったネジ山形状又はかえり形状を有するネジ山であればよく、様々な断面形状とできる。また、第１締結部５０ａを構成する外ネジ５１，５３は、連続的に螺旋状に形成されるものに限らず、分離した複数の部分からなるものとできる。さらに、外ネジ５１，５３の一方を偏ったかえり形状とし、他方を抜き差しに関する抵抗を均衡させた形状とすることもきる。
【００５２】
上記実施形態において、第２締結部５０ｂを構成する中栓内ネジ５２及びキャップ内ネジ５４の形状は、図１、５等に例示するものに限らず、様々な断面形状とできる。また、第２締結部５０ｂを構成する内ネジ５２，５４は、連続的に螺旋状に形成されるものに限らず、分離した複数の部分からなるものとできる。
【００５３】
上記実施形態において、外側サポート部２４の先端部２４ｄには、段差状に窪んだバリ収納部２４ｒが形成されているが、段差状の窪みを設けず、平坦な面としてもよい。この場合、先端部２４ｄは薄肉部１５に当接しない構成とすることが好ましい。
【００５４】
上記実施形態において、本体１０の溶着部３３の上面を、容器２の周縁部２ｂの下面に対して固定したが、溶着部３３の下面を、周縁部２ｂの上面に対して固定してもよい。この場合、本体１０の本体台座３２と溶着部３３とを同じ厚みとし、係止部３４を省略してもよい。
【符号の説明】
【００５５】
２…容器、  ２ａ…開口部、  ２ｂ…周縁部、  １０…本体、  １１…外周部、  １１ａ…開口部、  １２…中栓、  １５…薄肉部、  １６…スコアー、  １７…外周側境界部、  ２０…キャップ、  ２１…キャップ天板、  ２２…キャップ外周壁、  ２３…キャップ円筒部、  ２４…外側サポート部、  ２４ｒ…バリ収納部、  ２５…インナーリング、  ３１…本体外周壁、  ３２…本体台座、  ３３…溶着部、  ３４…係止部、  ４１…封止体、  ４２…中栓円筒部、  ５０ａ…第１締結部、  ５０ｂ…第２締結部、  ５１…本体外ネジ、  ５２…中栓内ネジ、  ５２ｂ…ネジ山上面、  ５２ｔ…ネジ山上面、  ５３…キャップ外ネジ、  ５４…キャップ内ネジ、  ５４ｂ…ネジ山下面、  ５４ｔ…ネジ山上面、  １００…封止装置、  ＡＸ…ネジ軸
【図１】
2019059531.tif 000003
【図２】
2019059531.tif 000004
【図３】
2019059531.tif 000005
【図４】
2019059531.tif 000006
【図５】
2019059531.tif 000007
【図６】
2019059531.tif 000008